(57)【要約】【課題】複数の二次電池を接続した組電池において、配線接続が複雑化し、高エネルギー密度化に対して不利となるため、高機能性を付与することが難しかった。【解決手段】並列及び／又は直列接続した複数の発電要素を、一つの外装体に収容して組電池を構成する。個々の発電要素には、その発電要素の状態を検知する状態検知部が備えられ、制御部は、状態検知部から得られる個々の発電要素の情報に基づいて、各発電要素への入出力電流を個別に制御する。これにより、配線接続を簡素化し、エネルギー密度の低減を抑えつつ、高機能性を付与できる。【選択図】図１
2014197450.tif 000002
【特許請求の範囲】
【請求項１】
並列及び／又は直列接続した複数の発電要素と、
個々の発電要素に接続され、その発電要素の状態を検知する状態検知部と、
電解質と、を一つの外装体に収容して構成した組電池であって、
前記組電池は、前記状態検知部から取得した個々の発電要素の情報に基づいて、前記発電要素への入出力電流を個別に制御する制御部を備えることを特徴とする組電池。
【請求項２】
前記組電池は、配線切り替え部を備えており、
前記配線切り替え部は、前記制御部からの指令に基づき、前記発電要素を直列接続また
は並列接続に切替えることを特徴とする請求項１記載の組電池。
【請求項３】
前記状態検知部は、個々の発電要素の温度を検知する温度検知手段を有し、
前記制御部は、前記状態検知部から得られた個々の発電要素の温度に基づいて、前記発電要素への入出力電流を個別に制御することを特徴とする請求項１記載の組電池。
【請求項４】
前記状態検知部は、通信信号ラインおよび電流ラインにより前記制御部と接続されており、
前記通信信号ラインは、前記状態検知部が検知した個々の発電要素の情報を前記制御部へ送信し、かつ前記制御部からの指令を前記状態検知部へ送信し、
前記状態検知部は、前記制御部からの指令に基づき、発電要素への入出力電流を変更することを特徴とする請求項１記載の組電池。
【請求項５】
前記状態検知部として、半導体チップを用いることを特徴とする請求項１〜４のいずれか１項に記載の組電池。
【請求項６】
前記外装体は、金属ラミネートからなることを特徴とする請求項１〜５のいずれか１項に記載の組電池。
【発明の詳細な説明】
【技術分野】
【０００１】
本発明は、組電池に関し、特に複数の発電要素が一つの外装体内に収納されている組電池に関する。
【背景技術】
【０００２】
近年、電子機器のポータブル化およびコードレス化が急速に進んでおり、このような機器に用いる駆動用電源として、小型かつ軽量で、高エネルギー密度を有する二次電池への要望が高まっている。また、小型民生用途のみならず、電力貯蔵装置や電気自動車用途としての二次電池の需要も拡大し、高出力特性、長期にわたる耐久性、および安全性などの特性が要求されている。二次電池のなかでも、リチウムを活物質とする非水電解質二次電池は、起電力が高く、高エネルギー密度であるという特徴を有するため、開発が盛んに行われている。
【０００３】
このような二次電池は、例えば、シート状の集電体上に活物質層を形成した正極と負極との間に、セパレータを介して捲回することで発電要素を構成し、これを電解質とともに外装体内に収容して封口され作製される。そして、これらの二次電池を、並列及び／又は直列接続することで、所定の電圧及び容量を出力する組電池とし、多種多様な用途に対応させて使用されている。
【０００４】
一方、二次電池に対しては、薄型化への要望も高まってきている。例えば携帯電話、小型ネットパソコン、大画面電子書籍、多機能スマートフォン等の電子機器は、大画面化とともに薄型化が進んでおり、搭載する二次電池も薄型にすることで、電子機器の設計自由度を向上することが可能となる。また、電気自動車用途等においても、薄型の二次電池を組電池として使用することで、積層数の増減による搭載空間への対応力が増し、デッドスペースを低減することが可能となる。このような薄型化の要望に対しては、円筒型や角型に成形した金属缶を二次電池の外装体として用いるよりも、金属ラミネートを外装体として用いる方が有効である。
【０００５】
例えば、金属ラミネートを外装体として用いた二次電池からなる組電池としては、複数の二次電池を回路基板上に配列して直列または並列で接続し、さらに各二次電池を回路基板上の電圧検出線と接続する組電池が提案されている（例えば、特許文献１参照）。このような構成によれば、回路基板上に電圧検出線が固定されているため、複数の二次電池を用いて組電池を構成する際の電圧検出線が簡素化され、組立工程での作業性を向上することができる。
【０００６】
また、通常、組電池は、搭載機器に応じた所定の電圧及び容量を出力させる必要があるため、二次電池を並列及び／又は直列接続した状態で、配線接続は固定される。それに対し、特許文献２では、高出力型電池と高容量型電池とを備え、高出力型電池を任意に高容量型電池に並列接続させる、または切り離す制御手段を備えた組電池システムが提案されている。このような構成によれば、大電流が要求される場合に、満充電された高出力型電池を高容量型電池へ並列接続させることで、十分な電流供給能力が発揮できるとしている。
【先行技術文献】
【特許文献】
【０００７】
【特許文献１】特開２００４−４７１６７号公報
【特許文献２】特開２００８−４１６２０号公報
【発明の概要】
【発明が解決しようとする課題】
【０００８】
しかしながら、特許文献１の構成では、回路基板に電圧検出線が固定されていることで、電圧検出線が簡素化されるものの、回路基板のスペースを確保する必要があるため、組電池全体としての体積エネルギー密度が低下してしまうという課題がある。
【０００９】
また、特許文献２の構成では、高容量型または高出力型として、構成の異なる二次電池を使用するため、組電池としての組立工程が煩雑となる。
【００１０】
本発明は、上記課題に鑑みてなされたものであり、高エネルギー密度かつ信頼性に優れた組電池を提供することを目的とする。
【課題を解決するための手段】
【００１１】
本発明は、並列及び／又は直列接続した複数の発電要素と、個々の発電要素に接続され、その発電要素の状態を検知する状態検知部と、電解質と、を一つの外装体に収容して構成した組電池であって、前記組電池は、前記状態検知部から取得した個々の発電要素の情報に基づいて、前記発電要素への入出力電流を個別に制御する制御部を備えることを特徴とする。
【００１２】
本発明の構成によれば、各発電要素の状態を個別に検知し、その状態に応じて、各発電要素に対する入出力電流制御を個別に行うことができる。そのため、例えば、特定の発電要素のみの特性が悪い場合、当該発電要素への入出力電流を軽減して、残りの発電要素への入出力電流を増加することで、組電池全体としての信頼性を確保することができる。また、並列及び／又は直列接続した複数の発電要素を、一つの外装体内に収納しているため、搭載機器に設置時の配線接続が簡素化でき、かつ各発電要素を接続する回路基板も不要となることから、デッドスペースが低減され、組電池としてのエネルギー密度を上げることができる。
【発明の効果】
【００１３】
本発明によれば、並列及び／又は直列接続した複数の発電要素を、一つの外装体に収納し、各発電要素の状態の状態に応じて、個別に適切な入出力電流制御を行うことで、高エネルギー密度かつ信頼性の高い組電池を提供することができる。
【図面の簡単な説明】
【００１４】
【図１】本発明の組電池における制御システムを示すシステム構成図
【図２】本発明の組電池の構成を示す模式図
【図３】本発明の組電池を構成する発電要素の模式図
【図４】従来の金属ラミネート外装体を用いた二次電池の模式図
【発明を実施するための形態】
【００１５】
本発明は、並列及び／又は直列接続した複数の発電要素と、個々の発電要素に接続され、その発電要素の状態を検知する状態検知部と、電解質と、を一つの外装体に収容して構成した組電池であって、前記組電池は、前記状態検知部から取得した個々の発電要素の情報に基づいて、前記発電要素への入出力電流を個別に制御する制御部を備えることを特徴とする。
【００１６】
上述したように、本発明によれば、各発電要素の状態を個別に検知し、その状態に応じて、各発電要素に対する入出力電流制御を個別に行うことができる。そのため、状態検知部から得られた情報により、特定の発電要素が劣化していると判断された場合、その発電
要素のみの入出力電流を低減することで、当該発電要素のさらなる容量劣化を防ぐことができ、その結果、組電池としての信頼性を向上することができる。
【００１７】
また、特定の発電要素が異常であると判断された場合には、その発電要素のみの入出力電流を停止することで、当該発電要素の安全性が確保され、その結果、組電池全体の安全性が維持される。この場合、当該発電要素のみの入出力電流を停止した状態で、組電池としての使用を継続することもできる。
【００１８】
ここで、状態検知部が検知する発電要素の状態としては、発電要素の電圧、内部抵抗、温度、等がある。例えば、組電池の入出力停止中に、状態検知部がそれぞれの発電要素の電圧を検知し、特定の発電要素の電圧が、他の発電要素の電圧より所定値以上低い場合、制御部は、当該発電要素について劣化または異常状態であるという判断をして、上記したような制御を行うことができる。
【００１９】
一般的に、発電要素を複数接続する構成では、各発電要素に接続される配線は煩雑となり、特に、上記のように各発電要素に対して個別の制御をする場合は、さらにそのための配線回路が増えるため複雑化する。しかしながら、本発明は、並列及び／又は直列接続した複数の発電要素と、個々の発電要素の状態を検知する状態検知部とを、一つの外装体に収容している。そのため、複数の発電要素を接続する配線は組電池の外装体の内部に収納されることとなり、組電池を搭載機器に設置時の配線接続も簡素化することができる。なお、制御部は、外装体の内部、外部のどちらに配置してもよいが、内部に配置させる方が、より配線接続が簡素化できることから好ましい。なお、この組電池を、さらに並列及び／又は直列接続した電池モジュールとすることも可能である。
【００２０】
また、本発明において、上記制御部に、外部接続機器との通信機能を備えていてもよい。それにより、組電池は、外部接続機器へ各発電要素の状態に関する情報を送信したり、その情報を取得した外部接続機器から適切な動作指令を受信したりすることが可能となる。例えば、組電池の中の特定の発電要素が異常状態であるという情報を外部接続機器へ発信することで、外部接続機器が組電池の交換時期を認識し、外部接続機器にアラーム表示を点灯させることができる。なお、外部接続機器としては、搭載機器に限られるものではなく、他の組電池、複数の組電池を制御する制御ユニット、または充電器であってもよい。
【００２１】
また、本発明の組電池は、配線切り替え部を備えており、前記配線切り替え部は、前記制御部からの指令に基づき、前記発電要素を直列接続または並列接続に切替えることが好ましい。
【００２２】
このような構成にすることで、各発電要素の直列接続、並列接続、または直列並列の組み合わせ等、必要に応じて接続パターンを選択することが出来る。例えば、充電時間を短くするために大電流で充電をする場合、発電要素の並列接続を増やして、各発電要素に入る充電電流値を少なくすることで発電要素の劣化を低減することが可能となる。また、高電圧、高出力が必要な場合には、直列接続を増やし、電圧を高くすることで出力を上げることも可能となる。よって、高容量型や高出力型等、構成の異なる二次電池を準備しなくても、組電池内部の配線を切り替えることで、適切な特性の組電池とすることができる。なお、配線の切り替えは、制御部からの指令に基づいて行われるが、制御部に外部接続機器との通信機能を備えることで、例えば、外部接続機器からの急速充電指令を受信し、それに基づき制御部から配線切り替え部に配線切り替えの指令を出すことも可能となる。なお、配線切り替え部は、外装体の内部、外部のどちらに配置してもよいが、内部に配置させる方が、より配線接続が簡素化できることから好ましい。
【００２３】
また、本発明において、前記状態検知部は、個々の発電要素の温度を検知する温度検知手段を有し、前記制御部は、前記状態検知部から得られた個々の発電要素の温度に基づいて、前記発電要素への入出力電流を個別に制御することが好ましい。
【００２４】
例えば、特定の発電要素のみが温度上昇した場合などは、当該発電要素への入出力電流を下げることで、当該発電要素の劣化を防ぐことが可能となる。また、特定の発電要素のみが異常な温度上昇を示した場合にあっては、当該発電要素のみ入出力電流を遮断して、当該発電要素を除いた残りの発電要素により、組電池を充放電させることで、当該発電要素の安全性を確保し、かつ他の発電要素への熱影響を抑えることができ、組電池としての信頼性が向上する。なお、発電要素の全てが異常な温度上昇を示す場合には、安全のために、全ての発電要素の入出力電流を停止することで、組電池の安全性を確保することができる。
【００２５】
一方、外装体として金属ラミネートを用いた場合は、外装体の表面が樹脂であるため熱伝導性が悪く、各発電要素の温度が不均一になりやすくなる。一般的に、発電要素は、その温度が高い状態で電流を入出力すると劣化しやすくなるため、各発電要素の温度が不均一の状態で組電池の充放電を繰り返すと、各発電要素の劣化状態がばらついてしまう。本発明では、個々の発電要素の温度を直接検知する温度検知手段を設けることにより、各発電要素の温度に応じて入出力電流を制御することができる。したがって、温度の高い発電要素への入出力電流を低減することで、当該発電要素の劣化を抑え、各発電要素の劣化ばらつきを抑制することが可能となる。
【００２６】
また、前記状態検知部は、通信信号ラインおよび電流ラインにより前記制御部と接続されており、前記通信信号ラインは、前記状態検知部が検知した個々の発電要素の情報を前記制御部へ送信し、かつ前記制御部からの指令を前記状態検知部へ送信し、前記状態検知部は、前記制御部からの指令に基づき、発電要素への入出力電流を変更することが好ましい。
【００２７】
個々の状態検知部ではなく、制御部で入出力電流を変更することも可能であるが、それぞれの発電要素に接続される状態検出部にその機能を分散することで、制御部の大きさを小さくし、組電池全体としての体積を小さくすることができる。
【００２８】
また、前記状態検知部としては、半導体チップを用いることが好ましい。半導体チップは、多機能かつ小型であるため、組電池としてのデッドスペースを低減することができる。半導体チップとしては、一般的に使用されているＳｉウェハー上に回路形成して個片に切り出したものを用いることができる。このような半導体チップは、耐液性にも優れており、組電池の内部に配置することで電解質に接触しても腐食や劣化が起こりにくいため好ましい。
【００２９】
また、本発明において、前記外装体は、金属ラミネートからなることが好ましい。このような構成によれば、必要な発電要素の数量、大きさに対応して、外装体を手軽に準備することが出来るため、組電池の構成が容易となる。さらに、金属ラミネートは、形状の自由度が高いため、外装体の形状を薄型かつ大型にして、多数の発電要素を収納した組電池を構成することも容易にできる。また、外装体に金属ラミネートを用いることで、収容された状態検知部等による部分的な凹凸形状にも追随しやすくなり、デッドスペースを削減することができる。さらに、各発電要素間の電解質の移動を避けるために、各発電要素間を容易に密封することができ、そのような構成においては、電解質の移動を考慮した余剰の電解質の注入が不要となる。
【００３０】
上述したように、本発明によれば、組電池の搭載時における配線接続を簡素化しつつ、
組電池としての信頼性を向上することができる。また、異なる性能を持つ発電要素を使用せずとも、状況に応じて適切な特性の組電池とすることも可能となる。
【００３１】
以下、本発明の実施形態を図面に基づいて詳細に説明する。なお、本発明は、以下の実施形態に限定されるものではない。また、本発明の効果を奏する範囲を逸脱しない範囲で、適宜変更は可能である。
【００３２】
図１は、本発明の組電池の制御システムを示すシステム構成図である。
【００３３】
組電池１００の内部には、複数の発電要素１と状態検知部１６、および制御部６、配線切り替え部１０が収容されている。それぞれの発電要素１には、それぞれ対応する状態検知部１６が設置され、状態検知部１６は、対応する発電要素１の正極および負極と接続されている。そして、状態検知部１６は、配線切り替え部１０と連結される電流ライン１８、および制御部６に連結する通信信号ライン１９を、接続している。また、配線切り替え部１０には、制御部６に連結される電流ライン１８と通信信号ライン１９が、接続されている。そして、制御部６は、電流ライン１８と通信信号ライン１９により、外部接続機器と接続される。ここで、制御部６と配線切り替え部１０とは、入出力管理部１４の内部に収容されている。これにより、組電池内部の配線接続をより簡素化することができる。
【００３４】
以下、さらに本発明の制御システムの動作について具体的に説明する。状態検知部１６は接続された発電要素１の状態を検知し、その状態に関する情報を、通信信号ライン１９を通じて制御部６へ送信する。制御部６は、それぞれの発電要素１の情報を得て、その情報から、それぞれの発電要素１に対する入出力電流を決定し、対応する状態検知部１６へ、通信信号ライン１９を通じて指令する。
【００３５】
また、制御部６が配線の切り替えが必要であると判断した場合、すなわち、発電要素１の並列及び／又は直列接続を切り替える場合には、制御部６は、通信信号ライン１９を通じて配線切り替え部１０に、配線切り替えの指令を出す。指令を受けた配線切り替え部１０は、発電要素１の直列、並列の配線構成を切り替える。さらに、制御部６は、外部接続機器からの情報を取得した場合、必要に応じて、配線切り替え部１０、または状態検知部１６に対して動作指令を出す。その結果、組電池１００として、外部接続機器の状況や要望に対応した最適な入出力を行うことが可能となる。
【００３６】
次に、具体的な本発明の組電池の一例である外装体に金属ラミネートを用いた組電池について、従来の金属ラミネートを用いた二次電池と比較しながら、図２、３を用いて説明する。
【００３７】
図４は、従来の金属ラミネートの外装体を用いた二次電地の外観模式図である。シート状の集電体上に活物質層を形成した正極板と負極板との間に、セパレータを配して捲回した発電要素（図示せず）が、電解質（図示せず）とともに袋状の金属ラミネート外装体２０１に収容されている。発電要素の正極板および負極板には外部端子２０２が接続されており、金属ラミネート外装体２０１の外部に延出させて封止されている。
【００３８】
図２は、本発明の組電池の実施形態の一例を示す模式図である。発電要素１は、後で詳述する状態検知部１６を介して充放電用端子２および通信信号用端子３に接続され、それらの端子は、接続ターミナル４に接続されている。接続ターミナル４には、充放電用端子２および通信信号用端子３からの電気信号を伝える電流ライン１８および通信信号ライン１９が接続されている。これらのラインは、接続ケーブル５として集約して配線されている。この接続ケーブル５は、それぞれの発電要素から入出力管理部１４へ集められ、入出力管理部１４の内部で、通信信号ライン１９は制御部と連結され、電流ライン１８も配線
切り替え部１０を経由して制御部と連結される。制御部６には、組電池を外部接続機器に接続するための充放電用外部端子７と通信信号用外部端子８が接続され、それらは入出力管理部１４から取り出される。
【００３９】
上記した構成物は、金属ラミネートの外装体９の内部に電解質（図示せず）とともに収納され、充放電用外部端子７と通信信号用外部端子８のみを、金属ラミネートの外装体９の外部に延出して封口される。ここで、金属ラミネートとしては、例えば、アルミニウム箔の内側にポリエチレン層、外側に変性ポリプロピレン層が形成されているものを用いることができる。
【００４０】
このように、本発明の本実施形態では、従来と同様の金属ラミネートを外装体９として用いており、外観上は同様の形状をしているが、この一つの外装体９の内部には、複数の発電要素１が接続されて収容されており、組電池としての充放電用外部端子７および通信信号用外部端子８が外装体９の外部に取り出されて構成される。
【００４１】
次に、状態検知部１６について図３を用いて詳細に説明する。図３は、本発明の組電池を構成する発電要素の模式図である。
【００４２】
図３に示す発電要素１は、負極集電体に負極活物質を含む負極活物質層が両面に塗布された負極板１１と、正極集電体に正極活物質を含む正極活物質層が両面に塗布された正極板１２とを、それらの間を隔離するセパレータ１３を介して、扁平形状に捲回して構成される。
【００４３】
具体的に、リチウムイオン二次電池の場合は、正極板１２の正極集電体として、アルミニウム、アルミニウム合金などで形成された金属箔などが使用され、正極活物質層としては、リチウム含有遷移金属化合物、例えばコバルト、マンガン、ニッケル、クロム、鉄およびバナジウムから選ばれる少なくとも一種の金属とリチウムとの複合金属酸化物が使用できる。また、正極活物質層は、正極活物質、結着剤、および導電剤を、分散媒とともに混練して分散させたスラリー状の合剤を調製し、この合剤を正極集電体に付着させることにより形成できる。
【００４４】
また負極板１１の負極集電体としては、銅、銅合金、ニッケル、ニッケル合金などで形成された金属箔などが使用される。負極活物質としては、リチウムイオンを可逆的に吸蔵及び放出し得る黒鉛型結晶構造を有する材料、例えば、天然黒鉛や球状又は繊維状の人造黒鉛、難黒鉛化性炭素（ハードカーボン）、易黒鉛化性炭素（ソフトカーボン）などの炭素材料や、酸化錫、酸化珪素等の金属酸化物材料、ケイ素、シリサイドなどのケイ素含有化合物などを用いることができる。負極活物質層は、負極活物質、結着剤、および分散媒、必要により導電材を含んだスラリー状の合剤を負極集電体に付着させることにより形成できる。
【００４５】
また、セパレータとしては、ポリオレフィン系材料を用いることができ、ポリオレフィン系材料と耐熱性材料を組み合わせたものを用いることが好ましい。ポリオレフィン多孔膜としては、ポリエチレン、ポリプロピレン、エチレン−プロピレン共重合体の多孔膜などが例示できる。これらの樹脂は、単独で又は二種以上組み合わせて使用できる。耐熱性材料としては、耐熱性樹脂、無機フィラーのそれぞれ単体膜、または、耐熱性樹脂と無機フィラーの混合体を用いることができる。
【００４６】
また電解質は、非水溶媒にリチウム塩を溶解することにより調製される。非水溶媒としては、例えば、環状カーボネートとして、エチレンカーボネート、プロピレンカーボネート、ブチレンカーボネートなど、また鎖状カーボネートとして、ジメチルカーボネート、
ジエチルカーボネート、エチルメチルカーボネートなど、が用いられる。また、リチウム塩としては、電子吸引性の強いリチウム塩、例えば、ＬｉＰＦ６、ＬｉＢＦ４、ＬｉＣｌＯ４などが使用される。
【００４７】
図３において、発電要素１の最外周にはセパレータ１３が位置し、その平坦部に絶縁基板１５が固定されている。ここで、絶縁基板としては、ガラスエポキシ樹脂基板等を用いることができる。また、絶縁基板１５上には、状態検知部１６として使用される半導体チップが、フェースアップ（半導体チップの端子部が上を向いている状態）の向きで、接着剤によりダイボンディング固定されている。この半導体チップにより、発電要素１の電圧値、入出力電流値、内部抵抗が測定される。なお、温度検知機能を持つ半導体チップを用いることで、発電要素の温度も検知することができる。
【００４８】
一方、充放電用端子２および通信信号用端子３も、同様に絶縁基板１５上に接着剤により固定されている。そして、負極板１１および正極板１２の集電体の露出部分と半導体チップとが、金線１７により、ワイヤーボンディング法で溶着接続され、充放電用端子２および通信信号用端子３と半導体チップも、金線１７により、同様の方法で接続される。また、半導体チップ及びワイヤーボンディング接続された領域は、ワイヤーボンディング接続後に硬化樹脂（図示せず）により、モールドされ、衝撃等で溶着接続が外れることを防いでいる。
【００４９】
なお、本実施形態について説明した図２において、入出力管理部１４は、外装体９の内部に設置されているが、外装体９の外部に設置されていても本発明の効果は変わることがない。また組電池１００の内部には、発電要素１が、６個が平面的に並んで設置されているが、数量増減や積層設置等を行っても同様の効果が得られる。さらに、状態検知部１６の設置方法として、フェースアップ方式ではなく、絶縁基板１５を片面回路基板として、フェースダウンのフリップチップ実装を採用することもでき、その場合は、ワイヤーボンディング法による溶着接続を行う必要がないため、工数、体積的にも有利となる。また、本実施形態では、金属ラミネートの外装体を用いた組電池としたが、金属の外装体としてもよい。
【００５０】
以上のように、本発明によれば、並列及び／又は直列接続した複数の発電要素を、一つの外装体の内部に収納し、各発電要素の状態に応じて、個別に適切な入出力制御を行うことで、高エネルギー密度かつ信頼性の高い組電池を提供することができる。したがって、携帯機器あるいは電気自動車等の様々な用途において、高機能な組電池を提供することが可能となる。
【産業上の利用可能性】
【００５１】
本発明の組電池は、電子機器、電力貯蔵装置、および電気自動車等の電源として有用である。
【符号の説明】
【００５２】
１            発電要素
２            充放電用端子
３            通信信号用端子
４            接続ターミナル
５            接続ケーブル
６            制御部
７            充放電用外部端子
８            通信信号用外部端子
９            外装体
１０          配線切り替え部
１１          負極板
１２          正極板
１３          セパレータ
１４          入出力管理部
１５          絶縁基板
１６          状態検知部
１７          金線
１８          電流ライン
１９          通信信号ライン
１００        組電池
【図１】
2014197450.tif 000003
【図２】
2014197450.tif 000004
【図３】
2014197450.tif 000005
【図４】
2014197450.tif 000006